【手続補正書】
【提出日】平成24年9月11日(2012.9.11)
【手続補正１】
【補正対象書類名】特許請求の範囲
【補正対象項目名】全文
【補正方法】変更
【補正の内容】
【特許請求の範囲】
【請求項１】
第１測定項目について検体の測定を行う第１測定部と、
前記第１測定項目および当該第１測定項目とは異なる第２測定項目について検体の測定を行う第２測定部と、
検体が収容された複数の検体容器を収納するラックを前記第１測定部及び前記第２測定部へ搬送する搬送部と、
検体容器内の検体の測定項目を示す測定項目情報を前記ラックに収納された複数の検体容器のそれぞれについて取得する測定項目情報取得部と、
前記測定項目情報取得部によって取得された複数の測定項目情報と、前記第１測定部および前記第２測定部の動作状況とに応じて、前記ラック内の複数の検体容器を前記搬送部が前記第１測定部又は前記第２測定部へ搬送する搬送順序を制御する搬送制御部と、
を備える、検体分析装置。
【請求項２】
前記第１測定部及び前記第２測定部は、前記搬送部によって搬送された検体容器から検体を取り込み、取り込まれた検体を測定するようにそれぞれ構成されており、
前記搬送制御部は、前記第１測定部及び前記第２測定部が検体を取込可能な状態にあるか否かをそれぞれ確認し、それぞれの確認結果及び前記複数の測定項目情報に基づいて、前記搬送部による検体容器の搬送順序を制御するように構成されている、請求項１に記載の検体分析装置。
【請求項３】
前記搬送制御部は、前記第１測定部が検体を取込可能な状態になく、前記第２測定部が検体を取込可能な状態にあるときであって、前記ラック内に、測定項目情報に示される測定項目に前記第１測定項目が含まれており、前記第２測定項目が含まれていない第１検体容器と、測定項目情報に示される測定項目に前記第１測定項目及び前記第２測定項目が含まれる第２検体容器とが存在する場合には、前記第２検体容器を前記第１検体容器よりも先に前記第２測定部へ搬送すべく前記搬送部を制御するように構成されている、請求項２に記載の検体分析装置。
【請求項４】
前記搬送制御部は、前記第１測定部及び前記第２測定部のそれぞれが検体を取込可能な状態にあるときであって、前記ラック内に前記第１検体容器が存在する場合には、前記第１検体容器を前記第１測定部へ搬送すべく前記搬送部を制御するように構成されている、請求項３に記載の検体分析装置。
【請求項５】
前記搬送制御部は、前記測定項目情報取得部により取得された複数の測定項目情報に基づいて、前記ラック内の複数の検体容器の搬送の優先順位を決定するように構成されている、請求項１乃至４の何れか１項に記載の検体分析装置。
【請求項６】
前記搬送制御部は、前記ラック内に存在する複数の検体容器の中に、前記第１測定部又は前記第２測定部による再測定が必要な検体を収容した検体容器が存在する場合には、当該検体容器内の検体の再測定に係る測定項目と、前記ラック内の他の検体容器内の検体の初検に係る測定項目とに基づいて、前記ラック内の複数の検体容器の搬送の優先順位を決定するように構成されている、請求項５に記載の検体分析装置。
【請求項７】
前記搬送制御部は、
前記測定項目情報取得部により測定項目情報が取得された検体容器から搬送対象の検体容器を選択し、
前記搬送対象の検体容器が前記第１検体容器である場合には、前記第１測定部及び前記第２測定部の動作状況に基づいて、前記搬送対象の検体容器の搬送の可否を決定し、
前記搬送対象の検体容器が前記第２検体容器である場合には、前記第２測定部の動作状況に基づいて、前記搬送対象の検体容器の搬送の可否を決定するように構成されている、請求項３又は４に記載の検体分析装置。
【請求項８】
前記搬送制御部は、前記搬送対象の検体容器を搬送しないことを決定した場合に、前記測定項目情報取得部により測定項目情報が取得された検体容器の中で搬送対象として選択されていない検体容器を、新たな搬送対象として選択するように構成されている、請求項７に記載の検体分析装置。
【請求項９】
前記測定項目情報取得部は、前記ラック内の検体容器が前記第１測定部および前記第２測定部に搬送された後、前記第１測定部又は前記第２測定部に他の検体容器を搬送可能な状態になるまでの間に、前記ラック内の残りの複数の検体容器のそれぞれについて測定項目情報を取得するように構成されている、請求項１乃至８の何れか１項に記載の検体分析装置。
【請求項１０】
前記第１測定項目は、全血算測定項目を含み、
前記第２測定項目は、有核赤血球測定項目を含む、請求項１乃至９の何れか１項に記載の検体分析装置。
【請求項１１】
前記第１測定部は、第１検出部を用いて前記第１測定項目について検体の測定を行うように構成され、
前記第２測定部は、前記第１検出部と同一構成の第２検出部を用いて前記第１測定項目及び前記第２測定項目について検体の測定を行うように構成されている、請求項１乃至１０の何れか１項に記載の検体分析装置。
【請求項１２】
検体が収容された検体容器を搬送する搬送部と、
前記搬送部によって搬送された検体容器から検体を取り込み、取り込まれた検体の測定を第１測定項目について行う第１測定部と、
前記搬送部によって搬送された検体容器から検体を取り込み、取り込まれた検体の測定を前記第１測定項目及び当該第１測定項目とは異なる第２測定項目について行う第２測定部と、
前記検体容器内の検体の測定項目を示す測定項目情報を取得する測定項目情報取得部と、
前記測定項目情報取得部により測定項目情報が取得された検体容器として、測定項目情報に示される測定項目に第１測定項目が含まれており、前記第１測定項目とは異なる第２測定項目が含まれていない第１検体容器と、測定項目情報に示される測定項目に前記第１測定項目及び前記第２測定項目が含まれる第２検体容器とが存在する場合に、前記第１測定部が検体を取込可能な状態になく、前記第２測定部が検体を取込可能な状態にある場合には、前記第２検体容器を前記第１検体容器よりも先に前記第２測定部に搬送するように前記搬送部を制御する搬送制御部と、
を備える、検体分析装置。
【請求項１３】
第１測定項目について検体の測定を行う第１測定部と、前記第１測定項目及び当該第１測定項目とは異なる第２測定項目について検体の測定を行う第２測定部とを備えた検体分析装置における検体分析方法であって、
検体容器内の検体の測定項目を示す測定項目情報をラックに収納された複数の検体容器のそれぞれについて取得する工程と、
取得された複数の測定項目情報と、前記第１測定部および前記第２測定部の動作状況とに応じて、前記ラック内の複数の検体容器を前記第１測定部又は前記第２測定部へ搬送する搬送順序を決定する工程と、
決定された搬送順序で前記ラック内の複数の検体容器を前記第１測定部又は前記第２測定部へ搬送する工程と、
を備える、検体分析方法。
【手続補正２】
【補正対象書類名】明細書
【補正対象項目名】０００７
【補正方法】変更
【補正の内容】
【０００７】
上述した課題を解決するために、本発明の一の態様の検体分析装置は、第１測定項目について検体の測定を行う第１測定部と、前記第１測定項目および当該第１測定項目とは異なる第２測定項目について検体の測定を行う第２測定部と、検体が収容された複数の検体容器を収納するラックを前記第１測定部及び前記第２測定部へ搬送する搬送部と、検体容器内の検体の測定項目を示す測定項目情報を前記ラックに収納された複数の検体容器のそれぞれについて取得する測定項目情報取得部と、前記測定項目情報取得部によって取得された複数の測定項目情報と、前記第１測定部および前記第２測定部の動作状況とに応じて、前記ラック内の複数の検体容器を前記搬送部が前記第１測定部又は前記第２測定部へ搬送する搬送順序を制御する搬送制御部と、を備える。
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】変更
【補正の内容】
【００１０】
また、上記態様においては、前記第１測定部及び前記第２測定部が、前記搬送部によって搬送された検体容器から検体を取り込み、取り込まれた検体を測定するようにそれぞれ構成されており、前記搬送制御部が、前記第１測定部及び前記第２測定部が検体を取込可能な状態にあるか否かをそれぞれ確認し、それぞれの確認結果及び前記複数の測定項目情報に基づいて、前記搬送部による検体容器の搬送順序を制御するように構成されていることが好ましい。
【手続補正６】
【補正対象書類名】明細書
【補正対象項目名】００１１
【補正方法】変更
【補正の内容】
【００１１】
また、上記態様においては、前記搬送制御部が、前記第１測定部が検体を取込可能な状態になく、前記第２測定部が検体を取込可能な状態にあるときであって、前記ラック内に、測定項目情報に示される測定項目に前記第１測定項目が含まれており、前記第２測定項目が含まれていない第１検体容器と、測定項目情報に示される測定項目に前記第１測定項目及び前記第２測定項目が含まれる第２検体容器とが存在する場合には、前記第２検体容器を前記第１検体容器よりも先に前記第２測定部へ搬送すべく前記搬送部を制御するように構成されていることが好ましい。
【手続補正７】
【補正対象書類名】明細書
【補正対象項目名】００１２
【補正方法】変更
【補正の内容】
【００１２】
また、上記態様においては、前記搬送制御部が、前記第１測定部及び前記第２測定部のそれぞれが検体を取込可能な状態にあるときであって、前記ラック内に前記第１検体容器が存在する場合には、前記第１検体容器を前記第１測定部へ搬送すべく前記搬送部を制御するように構成されていることが好ましい。
【手続補正８】
【補正対象書類名】明細書
【補正対象項目名】００１３
【補正方法】変更
【補正の内容】
【００１３】
また、上記態様においては、前記搬送制御部が、前記測定項目情報取得部により取得された複数の測定項目情報に基づいて、前記ラック内の複数の検体容器の搬送の優先順位を決定するように構成されている
【手続補正９】
【補正対象書類名】明細書
【補正対象項目名】００１４
【補正方法】変更
【補正の内容】
【００１４】
また、上記態様においては、前記搬送制御部が、前記ラック内に存在する複数の検体容器の中に、前記第１測定部又は前記第２測定部による再測定が必要な検体を収容した検体容器が存在する場合には、当該検体容器内の検体の再測定に係る測定項目と、前記ラック内の他の検体容器内の検体の初検に係る測定項目とに基づいて、前記ラック内の複数の検体容器の搬送の優先順位を決定するように構成されていることが好ましい。
【手続補正１０】
【補正対象書類名】明細書
【補正対象項目名】００１５
【補正方法】変更
【補正の内容】
【００１５】
また、上記態様においては、前記搬送制御部が、前記測定項目情報取得部により測定項目情報が取得された検体容器から搬送対象の検体容器を選択し、前記搬送対象の検体容器が前記第１検体容器である場合には、前記第１測定部及び前記第２測定部の動作状況に基づいて、前記搬送対象の検体容器の搬送の可否を決定し、前記搬送対象の検体容器が前記第２検体容器である場合には、前記第２測定部の動作状況に基づいて、前記搬送対象の検体容器の搬送の可否を決定するように構成されていることが好ましい。
【手続補正１１】
【補正対象書類名】明細書
【補正対象項目名】００１６
【補正方法】変更
【補正の内容】
【００１６】
また、上記態様においては、前記搬送制御部が、前記搬送対象の検体容器を搬送しないことを決定した場合に、前記測定項目情報取得部により測定項目情報が取得された検体容器の中で搬送対象として選択されていない検体容器を、新たな搬送対象として選択するように構成されていることが好ましい。
また、上記態様においては、前記測定項目情報取得部が、前記ラック内の検体容器が前記第１測定部および前記第２測定部に搬送された後、前記第１測定部又は前記第２測定部に他の検体容器を搬送可能な状態になるまでの間に、前記ラック内の残りの複数の検体容器のそれぞれについて測定項目情報を取得するように構成されていることが好ましい。
【手続補正１２】
【補正対象書類名】明細書
【補正対象項目名】００１７
【補正方法】変更
【補正の内容】
【００１７】
また、上記態様においては、前記第１測定項目が、全血算測定項目を含み、前記第２測定項目が、有核赤血球測定項目を含むことが好ましい。
【手続補正１３】
【補正対象書類名】明細書
【補正対象項目名】００１９
【補正方法】変更
【補正の内容】
【００１９】
本発明の他の態様の検体分析装置は、検体が収容された検体容器を搬送する搬送部と、前記搬送部によって搬送された検体容器から検体を取り込み、取り込まれた検体の測定を第１測定項目について行う第１測定部と、前記搬送部によって搬送された検体容器から検体を取り込み、取り込まれた検体の測定を前記第１測定項目及び当該第１測定項目とは異なる第２測定項目について行う第２測定部と、前記検体容器内の検体の測定項目を示す測定項目情報を取得する測定項目情報取得部と、前記測定項目情報取得部により測定項目情報が取得された検体容器として、測定項目情報に示される測定項目に第１測定項目が含まれており、前記第１測定項目とは異なる第２測定項目が含まれていない第１検体容器と、測定項目情報に示される測定項目に前記第１測定項目及び前記第２測定項目が含まれる第２検体容器とが存在する場合に、前記第１測定部が検体を取込可能な状態になく、前記第２測定部が検体を取込可能な状態にある場合には、前記第２検体容器を前記第１検体容器よりも先に前記第２測定部に搬送するように前記搬送部を制御する搬送制御部と、を備える。
【手続補正１４】
【補正対象書類名】明細書
【補正対象項目名】００２０
【補正方法】変更
【補正の内容】
【００２０】
本発明の他の態様の検体分析方法は、第１測定項目について検体の測定を行う第１測定部と、前記第１測定項目及び当該第１測定項目とは異なる第２測定項目について検体の測定を行う第２測定部とを備えた検体分析装置における検体分析方法であって、検体容器内の検体の測定項目を示す測定項目情報をラックに収納された複数の検体容器のそれぞれについて取得する工程と、取得された複数の測定項目情報と、前記第１測定部および前記第２測定部の動作状況とに応じて、前記ラック内の複数の検体容器を前記第１測定部又は前記第２測定部へ搬送する搬送順序を決定する工程と、決定された搬送順序で前記ラック内の複数の検体容器を前記第１測定部又は前記第２測定部へ搬送する工程と、を備える。